(57)【要約】【課題】  壁面に手摺を取付ける際に大掛かりな作業をすることもなく、また外観を損なうこともなく、手摺を取付けることができる壁の補強下地構造を提供する。【解決手段】  内部に間柱（１１）を配設した壁パネル枠（２）の表面に壁パネル面材（１２）を張設してなる壁パネル（１）にて壁を構成し、該壁パネル（１）の内部に設けられている間柱（１１）の左右両側端部が露出する程度の開口部（３）を壁パネル面材（１２）に設け、手摺（８）の壁面への取付け強度を補強する補強下地部材（４）の背面内側に形成されている位置決め係止部（５）を露出した間柱（１１）の左右両側端部に係止させて、補強下地部材（４）を留め具（７）で間柱（１１）に固定するとともに、補強下地部材（４）の背面外側に備えられている進退自在な壁パネル面材支持プレート（６）の先端部を側面から突出させ、壁パネル面材（１２）の裏面と当接させて壁パネル面材（１２）を支持させた。【選択図】図１
2005336787.tif 000002
【特許請求の範囲】
【請求項１】
内部に間柱を配設した壁パネル枠の表面に壁パネル面材を張設してなる壁パネルにて壁を構成し、該壁パネルの内部に設けられている間柱の左右両側端部が露出する程度の開口部を壁パネル面材に設け、手摺の壁面への取付け強度を補強する補強下地部材の背面内側に形成されている位置決め係止部を露出した間柱の左右両側端部に係止させて、補強下地部材を留め具で間柱に固定するとともに、補強下地部材の背面外側に備えられている進退自在な壁パネル面材支持プレートの先端部を側面から突出させ、壁パネル面材の裏面と当接させて壁パネル面材を支持したことを特徴とする壁の補強下地構造。
【請求項２】
補強下地部材は、相互に係合する第１取付け具と第２取付け具から構成されており、この第１取付け具の背面内側に形成されている位置決め係止部を間柱の一側端部に係止させ、また第２取付け具の背面内側に形成されている位置決め係止部を間柱の他側端部に係止させ、第１取付け具の位置決め係止部と第２取付け具の位置決め係止部を係合させ、その係合度合いを調整することによって、壁パネル面材支持プレートを進退自在にしている請求項１記載の壁の補強下地構造。
【請求項３】
補強下地部材の壁パネル面材支持プレートは、左右方向に可動自在にすることによって、進退自在にしている請求項１記載の壁の補強下地構造。
【請求項４】
壁パネル面材支持プレートは複数備えられており、これら壁パネル面材支持プレートそれぞれが左右方向に可動自在である請求項３記載の壁の補強下地構造。
【請求項５】
補強下地部材の壁パネル面材支持プレートは、引き寄せネジを介して起倒させることによって、進退自在にしている請求項１記載の壁の補強下地構造。
【発明の詳細な説明】
【技術分野】
【０００１】
この出願の発明は、壁の補強下地構造に関するものである。さらに詳しくは、この出願の発明は、壁面に手摺を取付ける際に大掛かりな作業をすることもなく、また外観を損なうこともなく、手摺を取付けることができる、新しい壁の補強下地構造に関するものである。
【背景技術】
【０００２】
従来から、壁面への手摺の取付け構造には、ネジ等を用いて手摺を直接壁面に配設固定する手摺の取付け構造が提案されている（たとえば、特許文献１）。
【０００３】
また、図８および図９に例示したように、横桟材（イ）、縦桟材（ウ）、そして縦桟材（ウ）間に間柱（エ）を配設した壁パネル枠の表面に壁パネル面材（オ）を張設してなる壁パネル（ア）にて構成された壁の壁面に手摺（ケ）を取付ける場合には、壁パネル面材（オ）を外して該壁パネル面材（オ）の裏側に補強下地（カ）として合板等を配設し、再度壁パネル面材（オ）を取付けて、この補強下地（カ）に壁面からビス、釘等の留め具（キ）等を打ち付けて手摺（ケ）を支持する手摺受け（ク）を固着し、手摺（ケ）を取付ける壁の補強下地構造も考慮されていた。
【０００４】
さらに、上記図８および図９の例のように壁パネル面材（オ）の裏側に補強下地（カ）を設けることができない場合には、図１０に例示したとおり、壁パネル（ア）の内部に設けられている縦桟材（ウ）や間柱（エ）において、一方の縦桟材（ウ）と他方の縦桟材（ウ）、あるいは、縦桟材（ウ）と間柱（エ）とにわたる補強板（コ）を壁面からのビス、釘等の留め具（キ）固定で架設させ、この補強板（コ）に手摺（ケ）を取付ける壁の補強下地構造も知られている。
【特許文献１】特開２０００−３１００２２号公報
【発明の開示】
【発明が解決しようとする課題】
【０００５】
しかしながら、上記特許文献１に記載された手摺の取付け構造の場合、手摺の取付けにおいて、さらに安定で、高い取付け強度を確保するためには、壁に補強下地処理を行なう必要があり、上記図８および図９に例示したように、壁パネル（ア）の内側に補強下地（カ）を設ける必要がある。そのためには、上述したように壁パネル面材（オ）を外して、この壁パネル面材（オ）の裏側に合板等の補強下地（カ）を配設するといった大掛かりな作業が必要となるという問題があった。
【０００６】
また、図１０に例示した壁の補強下地構造の場合は、補強板（コ）全体が壁面に露出することになり、外観を損なうという意匠上の問題があった。
【０００７】
そこで、以上のとおりの背景から、この出願の発明は、従来の問題点を解消して、壁面に手摺を取付ける際に大掛かりな作業をすることもなく、また外観を損なうこともなく、手摺を取付けることができる、新しい壁の補強下地構造を提供することを課題としている。
【課題を解決するための手段】
【０００８】
この出願の発明は、上記の課題を解決するものとして、第１には、内部に間柱を配設した壁パネル枠の表面に壁パネル面材を張設してなる壁パネルにて壁を構成し、該壁パネルの内部に設けられている間柱の左右両側端部が露出する程度の開口部を壁パネル面材に設け、手摺の壁面への取付け強度を補強する補強下地部材の背面内側に形成されている位置決め係止部を露出した間柱の左右両側端部に係止させて、補強下地部材を留め具で間柱に固定するとともに、補強下地部材の背面外側に備えられている進退自在な壁パネル面材支持プレートの先端部を側面から突出させ、壁パネル面材の裏面と当接させて壁パネル面材を支持したことを特徴とする壁の補強下地構造を提供する。
【０００９】
また、この出願の発明は、第２には、補強下地部材は、相互に係合する第１取付け具と第２取付け具から構成されており、この第１取付け具の背面内側に形成されている位置決め係止部を間柱の一側端部に係止させ、また第２取付け具の背面内側に形成されている位置決め係止部を間柱の他側端部に係止させ、第１取付け具の位置決め係止部と第２取付け具の位置決め係止部を係合させ、その係合度合いを調整することによって、壁パネル面材支持プレートを進退自在にしている壁の補強下地構造を提供する。
【００１０】
さらに、この出願の発明は、第３には、補強下地部材の壁パネル面材支持プレートは、左右方向に可動自在にすることによって、進退自在にしている壁の補強下地構造を、第４には、壁パネル面材支持プレートは複数備えられており、これら壁パネル面材支持プレートそれぞれが左右方向に可動自在である壁の補強下地構造を、そして、第５には、補強下地部材の壁パネル面材支持プレートは、引き寄せネジを介して起倒させることによって、進退自在にしている壁の補強下地構造を提供する。
【発明の効果】
【００１１】
上記のとおりのこの出願の第１の発明によれば、壁面に手摺を取付ける際に大掛かりな作業をすることもなく、また外観を損なうこともなく、手摺を取付けることができる。
【００１２】
また、第２の発明によれば、上記第１の発明の効果に加え、補強下地部材の位置決めをスムーズに行うことができる。
【００１３】
第３の発明によれば、上記第１の発明の効果に加え、補強下地部材の位置決めをスムーズに行うことができる。
【００１４】
第４の発明によれば、上記第３の発明の効果に加えて、補強下地部材の位置決めの微調整もできる。
【００１５】
第５の発明によれば、上記第１の発明の効果に加えて、より簡単に壁パネル面材を安定して支持することができる。
【発明を実施するための最良の形態】
【００１６】
この出願の発明は、上記のとおりの特徴をもつものであるが、以下に、添付した図面に沿って、この出願の発明の実施形態について詳細かつ具体的に説明する。
【００１７】
図１は、この出願の発明の壁の補強下地構造の一実施形態を例示した横断面図である。図２は、図１の実施例に利用した補強下地部材を例示した正面図である。
【００１８】
図１および図２に例示した、この出願の発明の壁の補強下地構造は、横桟材（図示せず）、縦桟材（図示せず）、そして縦桟材間に間柱（１１）を配設してなる壁パネル枠（２）の片表面もしくは両表面（図１の例では、両表面）に、壁パネル面材（１２）を張設して壁パネル（１）を構成し、該壁パネル（１）の内部に設けられている間柱（１１）の左右両側端部が露出する程度の大きさの開口部（３）が手摺（８）を取付ける壁パネル面材（１２）に設けられている。この開口部（３）を通じて、手摺（８）の壁面への取付け強度を補強する補強下地部材（４）の背面内側に形成されている位置決め係止部（５）を、露出した間柱（１１）の左右両側端部に係止、すなわち嵌合させる。次いで、ビス、釘等の留め具（７）で補強下地部材（４）を間柱（１１）に固定する。そして、補強下地部材（４）の背面外側に備えられている進退自在な壁パネル面材支持プレート（６）の先端部を側面から突出させ、この突出させた部分を壁パネル面材（１２）の裏面に当接させて壁パネル面材（１２）を支持させていることを特徴としている。なお、この壁パネル面材支持プレート（６）の進退自在とは、開口部（３）を通じて補強下地部材（４）を嵌入して取付ける際に、壁パネル面材支持プレート（６）を邪魔にならないように後退させ、嵌入後、壁パネル面材支持プレート（６）を前進させて壁パネル面材（１２）の裏面に当接可能とすることをいう。これによって、補強下地部材（４）を開口部（３）にスムーズに嵌入でき、また嵌入後は、壁パネル面材支持プレート（６）の先端部を側面から突出させることで壁パネル面材（１２）を確実に支持することができる。
【００１９】
この図１および図２をさらに詳しく説明すると、補強下地部材（４）は、略円板状であり、相互に係合する略半円板状の第１取付け具（４１）と略半円板状の第２取付け具（４２）から構成されている。この補強下地部材（４）は、第１取付け具（４１）の背面内側に形成されている位置決め係止部（５）を間柱（１１）の一側端部に係止させ、また第２取付け具（４２）の背面内側に形成されている位置決め係止部（５）を同じ間柱（１１）の他側端部に係止させる。次に、第１取付け具（４１）の位置決め係止部（５）と第２取付け具（４２）の位置決め係止部（５）とを係合させて、それぞれをビス、釘等の留め具（７）で間柱（１１）に固定する。このとき、係合度合いを調整することによって、第１取付け具（４１）と第２取付け具（４２）それぞれの背面外側に備えられている壁パネル面材支持プレート（６）を進退自在にしている。そして、これら第１取付け具（４１）と第２取付け具（４２）の壁パネル面材支持プレート（６）の先端部を側面から突出させて、この突出した部分を壁パネル面材（１２）の裏面と当接させ、壁パネル面材（１２）を支持している。
【００２０】
この補強下地部材（４）は、矢印に示したように、第１取付け具（４１）と第２取付け具（４２）それぞれを左右方向に可動することができるため、これにともない、上述のとおり、壁パネル面材支持プレート（６）が進退自在となり、スムーズに補強下地部材（４）を略円形の開口部（３）に嵌入することができ、嵌入後は、壁パネル面材（１２）を確実に支持することができる。
【００２１】
そして、この補強下地部材（４）に、手摺（８）を留め具（９）で取付ける。このような構造とすることで、壁パネル面材（１２）には、補強下地部材（４）を嵌入することのできる程度の大きさの開口部（３）を設ける加工作業だけでよい。このため、壁の表面に手摺（８）を取付ける際に、壁パネル面材（１２）を外す等といった大掛かりな作業をすることもなく、また外観を損なうこともなく、手摺（８）を取付けることができることを特徴としている。
【００２２】
図３は、この出願の発明の壁の補強下地構造の別の実施形態を例示した横断面図である。図４は、図３の実施例に利用した補強下地部材を例示した正面図である。
【００２３】
この図３および図４の例は、この出願の発明の壁の補強下地構造とこの構造に用いる補強下地部材（４）において、基本的な点は、図１および図２の例と同じであるが、補強下地部材（４）の壁パネル面材支持プレート（６）自体を、矢印に示したように、左右方向に可動自在にすることによって進退自在にしている点で異なっている。また、この壁パネル面材支持プレート（６）は、複数備えられていてもよく、この場合には、これら壁パネル面材支持プレート（６）それぞれを左右方向に可動自在に形成する。これによって、補強下地部材（４）の位置決めをスムーズに行うことができ、また位置決めの微調整もできる。さらに、位置決め係止部（５）を段部にて形成している点でも異なっている。
【００２４】
図５は、この出願の発明の壁の補強下地構造のさらに別の実施形態を例示した横断面図である。図６は、図５の実施例に利用した補強下地部材を例示した正面図である。また、図７は、図５および図６の実施例における補強下地部材の壁パネル支持プレートを例示した要部拡大斜視図である。
【００２５】
そして、図５および図６に例示した、この出願の発明の壁の補強下地構造は、基本的な点は図１から図４の例とほぼ同じであるが、補強下地部材（４）の壁パネル面材支持プレート（６）を引き寄せネジ（１０）で引き寄せて壁パネル面材（１２）に当接させ、支持している点で異なっている。つまり、補強下地部材（４）の壁パネル面材支持プレート（６）は、壁パネル面材（１２）と壁パネル面材支持プレート（６）を連通している引き寄せネジ（１０）を介して、起倒させることで進退自在としている。これによって、補強下地部材（４）を開口部（３）から嵌入する際には、この壁パネル面材支持プレート（６）を邪魔にならないように起こして嵌入し、嵌入後には、引き寄せネジ（１０）を回転させることによって壁パネル面材支持プレート（６）を倒して引き寄せて、壁パネル面材（１２）の裏面に当接させ、壁パネル面材（１２）をより簡単に安定して支持することができる。
【００２６】
この図５および図６の例における壁パネル面材支持プレート（６）と引き寄せネジ（１０）についてさらに説明すると、図７に例示したとおり、壁パネル面材支持プレート（６）には、引き寄せネジ（１０）が螺合するネジ穴（６２）が設けられた回動可能な軸棒（６１）を備えているとともに、引き寄せネジ（１０）が壁パネル面材支持プレート（６）の起倒状態における各角度からでもネジ穴（６２）に螺合できるようにスライドさせて移動可能にするための長穴（６３）も備えている。この軸棒（６１）は、引き寄せネジ（１０）とネジ穴（６２）とが壁パネル面材支持プレート（６）の起倒状態に対応できるように回動する。なお、この軸棒（６１）の回動を適度に規制することや落下防止等のために、たとえば、軸棒（６１）に突起（図示せず）を設けていてもよい。
【００２７】
また、図５の例においては、位置決め係止部（５）を凸部にて形成している。
【００２８】
もちろん、この出願の発明の壁の補強下地構造は、以上の例示によって限定されるものではない。たとえば、補強下地部材等の材質として、プラスチック類等の樹脂をはじめ、木質材や金属類等を使用することができ、特に制限されるものではない。また、補強下地部材の形状についても、壁パネル面材の開口部の形状と適合するのであれば、特に制限されるものではない。
【図面の簡単な説明】
【００２９】
【図１】この出願の発明の壁の補強下地構造の一実施形態を例示した横断面図である。
【図２】図１の実施例に利用した補強下地部材を例示した正面図である。
【図３】この出願の発明の壁の補強下地構造の別の実施形態を例示した横断面図である。
【図４】図３の実施例に利用した補強下地部材を例示した正面図である。
【図５】この出願の発明の壁の補強下地構造のさらに別の実施形態を例示した横断面図である。
【図６】図５の実施例に利用した補強下地部材を例示した正面図である。
【図７】図５および図６の実施例における補強下地部材の壁パネル支持プレートを例示した要部拡大斜視図である。
【図８】従来の壁の補強下地構造を例示した要部分解斜視図である。
【図９】図８の壁の補強下地構造を例示した斜視図である。
【図１０】別の従来の壁の補強下地構造を例示した斜視図である。
【符号の説明】
【００３０】
１  壁パネル
１１  間柱
１２  壁パネル面材
２  壁パネル枠
３  開口部
４  補強下地部材
４１  第１取付け具
４２  第２取付け具
５  位置決め係止部
６  壁パネル面材支持プレート
６１  軸棒
６２  ネジ穴
６３  長穴
７  留め具
８  手摺
９  留め具
１０  引き寄せネジ
ア  壁パネル
イ  横桟材
ウ  縦桟材
エ  間柱
オ  壁パネル面材
カ  補強下地
キ  留め具
ク  手摺受け
ケ  手摺
コ  補強板
【図１】
2005336787.tif 000003
【図２】
2005336787.tif 000004
【図３】
2005336787.tif 000005
【図４】
2005336787.tif 000006
【図５】
2005336787.tif 000007
【図６】
2005336787.tif 000008
【図７】
2005336787.tif 000009
【図８】
2005336787.tif 000010
【図９】
2005336787.tif 000011
【図１０】
2005336787.tif 000012